(57)【要約】      （修正有）【課題】各疾病の影響により、手ブレ、振震、緊張感を伴う不安定な状態、長時間筆使用に対する腕の疲労感解消等を図る。【解決手段】運筆台１に回転自在にローラー５を軸支してなる運筆台と、前記運筆台に運筆台の移動方向と直角方向に移動する手枕台２２を、本体中層部に構築した走行床８に、ローラー付き走行台１７を左右移動可能に装着し、手枕台のローラー固定板を走行台固定板受ガイドに固定することで、ローラー付き走行台を手枕台が確保することにより左右移動を円滑にし、本体と手枕台及び、回転板、摺動棒の相互作用により、前後左右自在のより安定感のある運筆操作を可能にし、さらに、筆記板を目線に近付けるよう、支持脚を構築したことで、障害者も容易に筆記できることを可能にした運筆補助具である。【選択図】図１
2004351909.tif 000002
【特許請求の範囲】
【請求項１】
回転自在にローラーを軸支してなる運筆台と、前記運筆台に運筆台の移動方向と直角方向に移動自在の手枕台を載置したことを特徴とする運筆補助具。
【請求項２】
運筆台の両側方に回転自在にローラーを軸支し、かつ、運筆台の中層部に走行床を設け、該走行床に走行台を載架し、手枕台を前記走行台に載置せしめたことを特徴とする運筆補助具。
【請求項３】
運筆台の両側方に回転自在にローラーを軸支し、前後の小径ローラー上に、ガイド溝を形成した摺動板を一体化してなる手枕台を載架し、該手枕台中央に回転板を回転自在に設けたことを特徴とする運筆補助具。
【請求項４】
裏面側に傾斜角度調節用支持脚を設け、木製、金属製、プラスチック製、あるいはこれらの貼り合わせた硬質板の上面に下敷きの敷設を自在にすると共に、運筆台落下防止用ストッパーを下部に固定せしめたことを特徴とする筆記板。
【発明の詳細な説明】
【０００１】
【０００２】
【発明の属する技術分野】本発明は、最も自然体で個性的に運筆するための書道における運筆補助具、さらには種々の疾病等により麻痺、筆記能力低下状況にある障害者に対して文字獲得の為に上腕の運動を介助する運筆補助具に関するものである。
【０００３】
【従来の技術】書の上達の基本は、書道基本動作をふまえた努力の積み重ねが上達の基本となる。ところで、書道を行うにあたって筆の握り方（持ち方）から筆の運び方（運筆）等種々の技法が伝承されており、例えば運筆については枕腕法、懸腕法、提腕法、さらには、廻腕法等々が知られている。前述する運筆について枕腕法以外の技法は腕を体に固定することなく、胸前の広い空間を移動させる技法、いいかえれば、毛筆を紙面との関係において、常時一定の関係のもとに空間を移動させるものであって、即ち、起筆から収筆に至るまで、筆勢を生かせるようにこの姿勢が保持されなければならず、姿勢のくずれが字体のくずれる原因となるとされる。書道を習得するに際して姿勢を保持することが難しく、上達を阻害することとなり、このため特に、毛筆は難しいとの観念が心理的に練達を阻害する要素となっている。
【０００４】
又、種々の疾病や事故等により運動機能障害、特に上腕の運動機能に障害を発症した障害者に対して、意思の伝達手段としての筆記、さらには、機能回復としてのリハビリの手段として筆記動作が有効なものであるが、反利き手による筆記時に、筆記具を持つこと、さらには上腕の運動による筆記具の移動、即ち、運筆を介助することが必要となってくる。
【０００５】
ところで、従来にあっては障害者の筆記に介助する用具として、特開２００２−２４８８９８筆記用具が提案されているが、これは筆記用具であるペンシルその他の筆記具を、挟持するもの、即ち、筆記具を挟持部材に固定させて保持させるためのものであり、この筆記用具を移動させて筆記するものであって使用する者にあっては、筆記具と筆記補助具を運筆させることから、長時間の使用は疲労の原因ともなり、また筆記する紙面の上を移動させることから、紙の破損は勿論、筆記用具の円滑な動作換言すれば、滑らかな筆記を期待することが出来ない。
【特許文献１】特開２００２−２４８８９８号公報
【０００６】
【発明が解決しようとする課題】
各疾病の影響による上腕の運動機能障害、麻痺、肩頚腕機能を回復のために、文字獲得のためのリハビリ、加えて、高年齢で筋力、腕力が衰えた者の文字、習字の練習の為に、起筆から収筆まで、それぞれの自筆で個性的字体を表現なし得ることが出来て、（手ブレ、振震、緊張感を伴う不安定な状態）長時間に及ぶ筆記具の使用に対する腕の疲労解消し得る運筆の補助具が望まれている。
【０００７】
【課題を解決するための手段】本発明はこれらの問題を解決するためになされたものであって、その構成は、回転自在にローラーを軸支してなる運筆台と、前記運筆台に運筆台の移動方向と直角方向に移動自在の手枕台を載置した点に在するものである。
【０００８】
また、本発明に係る運筆補助具における構成は運筆台の両側方に回転自在にローラーを軸支し、かつ運筆台の中層部に走行床を設け、該走行床に走行台を裁架し、一端が開口する手枕台を前記走行台に載置せしめるとともに、前記開口端を固定する支持ブロックを嵌着した点に在するものである。
【０００９】
さらに、手枕台の低位置化を図るものとして、運筆台の両側方に回転自在にローラーを軸支し、前後の小径ローラー上に、ガイド溝を形成した摺動板を一体化してなる手枕台を載架し、該手枕台中央に回転板を回転自在に設たことを特徴とし、高齢者の腕力、筋力の衰えた者、及び障害者等においてもより筆記し易く考慮し、筆記における運筆補助、介助具とならしめるものである。
【００１０】
【発明の実施の形態】以下、図示の実施例に基づき本発明に係る運筆補助具の構成について説明すると、運筆台１は、１対の軸受台３を表面板２で連結して構成し、前記軸受台３に１対のローラー５を回転自在に軸架することにより移動自在と、なさしめたもので前記ローラー５はパイプ６ｂの両側端側に大径の同様のパイプ６ａを嵌合固着したもので、この大径部にベアリング７を嵌着し、ベアリング７内を挿通し、かつ、両端を軸受台３に嵌合固定された軸４により回転自在に支承されている。
【００１１】
運筆台１におけるローラー５は前述するように、大径のパイプ６ａを小径のパイプ６ｂで連結した構成を採用することから、その外径差により段差を形成され、大径のパイプ６ａの４ヶ所で接地することとなり、ローラー５の中間部、即ち、パイプ６ｂにおいて空間が確保され、これによって、筆記用紙をまたぐ状態において運筆台１の移動をなさしめる為に筆記用紙に触れることなく、運筆の安定感を保つことが出来る。
【００１２】
前記運筆台１における軸受台３の裏面側に走行床８を固定することにより、運筆台１の中層部に両側の軸受台３を結ぶ方向、換言すれば、運筆台１の移動方向と直行する方向の走行路９を形成し、該走行床８はその両側に段差部１０を設けることにより走行路９を形成してなり、該走行路９にローラー１９を軸架してなる走行台１７を装架してなり、かくして走行床８を移動する走行台１７の走行路９からの逸脱を防止し、走行台１７の直線的、かつ、円滑な移動を可能ならしめる。
【００１３】
運筆台１におけるローラー５に対して制動力を付与するために少なくとも１ヶ所にブレーキ１１を設置するのが望ましい。即ち、運筆台１におけるローラー５の直上に位置する場所に、表面板２を貫通する小孔１３を穿設し、該小孔１３に中間部分に段部１６を形成したプッシュロッド１２をその頭部が表面板２から突出する様に、かつ、プッシュロッド１２の先端がローラー５の頂部と対向する様に嵌挿するとともに、段部１６に掛止する圧縮バネ１４を介挿し、支持板１５により弾発支持せしめ、プッシュロッド１２が押圧されると、圧縮バネ１４に坑して先端がローラー５と接し、ローラー５にブレーキ作動をなし、押圧が解除されるとプッシュロッド１２は圧縮バネ１４の弾発力により復帰するようになす。軽くプッツシュロッド１２を押すだけで制動可能にするブレーキ１１を設置したことで、運筆台１の移動を阻止しておき、後述する手枕台２２の移動のみを可能にし、筆記に集中することができる。
【００１４】
前記走行台１７に対して図３に示す手枕台２２が載置される。即ち、図４ないし図８に詳細を示すように、この手枕台２２は、後部支持ブロック２４ｂを留めネジ３２で固定し、一側面に開口部３０を設けてなるコの字形の形状をした固定枠２３と前記開口部３０を閉鎖する着脱可の支持ブロック２４ａとからなり、固定枠２３における開口部３０の寸法は、運筆台１の表面板２との摺接を回避し得るに必要な程度のものであればよく、固定枠２３を走行台２２に載置するにあたっては、固定枠２３を運筆台１の表面板２の一側方から該表面板２を挟む形で差し込み、走行床８上に装架した走行台２２の上面両側に設けられた、固定ガイド２１間に手枕台２２の固定枠２３を差し込み載置し、前面の開口部３０に支持ブロック２４ａの固定金具２８を介し、装着して一体化せしめる。
【００１５】
この様に手枕台２２を運筆台１の中層部に設けた走行台１７に配置する構成を採用することによって筆記具を保持して、手枕台２２に載せる場合に、筆記用紙の紙面と手枕台２２の上面との間隔（高さ）を極力、低減せしめることが可能となり、加えて、手枕台２２の固定枠２３の裏面と、表面板２とは接触なく極めて微小な間隔をもって分離されることから、手枕台２２が運筆台１の運動方向と直交する方向への移動を円滑にすることが可能となる。
【００１６】
図示の実施例においては、手枕台２２自体にも、その四隅部に回転自在のローラー２７ａ、２７ｂを具備させた例を示すもので、手枕台２２のコの字形の固定枠２３における支持ブロック２４ｂに軸２５ｂを挿通し、該軸２５ｂに回転自在にローラー２７ｂを軸架せしめ、また、支持ブロック２４ａに軸２５ａを挿通し該軸２５ａに回転自在にローラー２７ａを軸架せしめたものであって、運筆台１から取り外した状態、即ち、手枕台２２単体でも運筆補助具としての使用をなさしめるためであって、特に、小筆を使用した小文字の筆記のため、あるいは、携帯の便利さを図る等、簡易に使用する事を企図したものである。
【００１７】
また、手枕台２２の表面板３１の前方縁に相当する部分を、表面板３１に手を乗せた時にさらに筆記面と近接する様に、かつまた力の配分を行い易くするために傾斜面２９となし、するのが望ましく、さらに、手枕台２２に筆記時において字体の寸法を目測するための筆記用紙と接することなく、浮上した状態を維持するように罫線誘導棒３４を設けることも可能であって、この罫線誘導棒３４は手枕台２２に穿設された罫線誘導棒受３３に嵌入するためにその基部３５を直角に折曲されてなり、先端にＴ字型のスライド調節具３６を有し、該スライド調節具３６に水平方向に摺動自在にスライドバー３７が挿通されたものであって罫線誘導棒３４、スライドバー３７には筆記の起筆点からの移動量を目視出来るようにそれぞれ適宜の目盛３８ａ、３８ｂが刻設されている、
【００１８】
本発明の筆記具の移動、即ち、筆記を支障なく行なわせしめるため筆記板３９が提供される。図９、及び図１０に示す時に、木製、木質合板ベニア板、プラスチック製あるいはこれらの材質の板状体の表面に、マグネットによる筆記用紙の固定をなさしめるために金属板を貼り合わせてなる硬質板４０の上面にフェルト、ラシャ等の織布からなる下敷４２を必要に応じて敷設するようになし、さらに、上端にクリップ４１を固定し、又下部に運筆補助具の落下逸脱を防止するストッパー４３を固定してなり、硬質板４０の裏面側に筆記板３９の傾斜面を調整し得る様に、支持脚４５を筆記板３９の裏面に設けてなる保持金具４４に回動可に設けたもので、支持脚４５の回動角度を調整することにより、筆記板３９の角度を任意に調整し得るものでこれにより筆記板３９を目線に近付けることを可能にし、より筆記し易い状態を提供する。
【００１９】
前述の構成を有する本発明の運筆補助具を使用するに際して、筆記板３９に筆記用紙をセットするが、筆記板３９上端にクリップ４１を設けた場合にあってはクリップ４１により筆記用紙を挟着せしめさらに、支持脚４５の角度、いいかえれば筆記板３９の傾斜角度を調整する。一方、罫線誘導棒３４を手枕台２２に設ける場合にあっては、その基部を手枕台２２の罫線誘導棒受３３に嵌着し、スライドバー３７を摺動させて目盛３８ｂ、を利用して筆記する書体寸法となるように左右方向に移動調整せしめ、これによって、罫線誘導棒３４と、スライドバー３７、詳しくは、手枕台２２の移動方向における突出量（長さ）に囲まれる空間（領域）が書体の大きさ（寸法）を目安として与えられることになる。
【００２０】
またこの筆記用紙をまたぐ様に、即ち、ローラー５の大径のパイプ６ａが、筆記用紙をまたぐように運筆補助具をセットし、反利き手で本体の右端を軽く押え、利き手の手首を手枕台２２中央にのせ運筆に応じた起筆から、収筆まで自由に運筆されるが、このとき、運筆台１は、筆記用紙の紙面に対して縦方向に腕の運動に従って移動し、手枕台２２は紙面の横方向、即ち、運筆台１の移動方向と直行する方向に走行路９上を移動し、この合成運動によって筆記を行なうことができる。
【００２１】
さらに詳述すると、特に必要とするものではないが、運筆台１の移動を補助するために運筆台１の一側方を支え、筆記具を持つ手（利き手）を手枕台２２に載せて筆記を開始する。例えば、書道の筆記の基本とされる永字八法で説明すると、筆記具（毛筆）により縦画（努）を書く場合、手枕台２２に載せた手首でもって、手枕台２２に前よりの力をかけると手枕台２２の固定枠２３の後端、いいかえると手枕台支持ブロック２４ｂ側が走行台１７の両側に設けた固定ガイド２１を案内として浮き上がり、これにより手枕台２２と運筆台１の表面板２とが接触し、この摺接により手枕台２２の移動にブレーキが作用した状態になり、この状態で上腕に縦方向の運動を行なわしめると、運筆台１は筆記用紙面に対して縦方向に移動し、これによって真直ぐな縦画を引くことが出来る。このとき、運筆台１の移動量、換言すれば、書体の縦画の寸法は、前述する罫線誘導棒３４に付されている目盛３８ａを目標とし、即ち、起筆点からの移動量を目測することによって収筆すればよい。
【００２２】
また、横画（勒）を書く場合には、運筆台１に設けたブレーキ１１のプッシュロッド１２を押圧すると、プッシュロッド１２は圧縮バネ１４に坑して押し下げられ、その先端がローラー５の大径のパイプ６ａの頂部を押すことになってブレーキとして作動し、運筆台１の縦方向の移動が阻止され、手枕台２２は通常の状態、即ち、手枕台２２の前方に力を作用させない状態として、この状態で上腕に横方向の運動をなさしめると手枕台２２は走行台１７の固定ガイド２１の作用により一体として走行床９上を移動することになりこれによって横画を書くことができる。横画を書く際に前記罫線誘導棒３４を利用して筆記するが、罫線誘導棒３４は手枕台２２の移動に伴って左右方向に移動するが、前述するように、スライドバー３７をスライド調節具３６から図中手枕台２２の移動方向に突出させているスライドバー３７の所用目盛位置が起筆点からの距離（寸法）に到達した時点を目安として、上腕の運動を停止させて収筆してやれば良い。
【００２３】
また左右方向へ流れる（躍）（磔）については上記運筆台１および手枕台２２の移動の合成によって、即ち、運筆台１、手枕台２２の移動を自由にした状態で、上腕の運動によって、合成された運動軌跡を描くこととなり、これによって行なうことが可能となる。なお前述の説明では、罫線誘導棒３４を使用して筆記する場合について説明したが、特にこれに特定されるものではなく、この罫線誘導棒３４を外して自由に筆記することは勿論のこと可能なものである。
【００２４】
また手枕台２２にローラー２７ａ、２７ｂを設けてなる例を示したが、運筆台１から取り外し、手枕台２２単体で使用できる。この場合特に大きな横画（横画寸法）を必要としない小文字、例えば祝儀袋、不祝儀袋等の宛名書等を筆記する場合に簡便に使用することが出来る、
【００２５】
次に図１１ないし図１３にもとづいて他の実施例を説明する、この実施例においても運筆補助具としての構成、換言すれば、運筆台１と走行台１７の構成は前述する実施例と同様の構成を採用するものであって、運筆台１に回転自在にローラー５を軸支せしめるとともに走行床８を固定して、本体の中層部に、走行床８上に走行路を構成し、走行台１７を移動可能に装架せしめるようにしている。
【００２６】
さらに、運筆台１におけるそれぞれのローラー５回転軸と平行に、かつ、その上方位置に、摺動棒５１と前記ローラー５を軸支する軸受台３にその両端を支持せしめてなり、該摺動棒５１に、摺動ガイド５２を挿通させて、この摺動ガイド５２および前記走行台１７に手枕台２２を載架する。
【００２７】
手枕台２２はこの実施例においてはロ字型の中空構造を採用し、その下面に前記摺動ガイド５２に係合する円錐状のガイド溝５３を形成してなり、また上面中央部には該手枕台２２中央の位置に軸受５７を収納する凹所５８が形成され、該凹所５８にスラスト軸受５７が嵌挿され、該軸受５７により回転板５５を回転自在に軸支しされている。
【００２８】
この手枕台２２を運筆台１に載置するに際し、手枕台２２の中空部５９に表面板２を挿通し、かつその手枕台２２の下面を走行台１７上に載架すると同時に、手枕台２２の下面に設けてなるガイド溝５３を摺動ガイド５２に載置せしめた後、表面板２をネジ３２により軸受台３に固定する、
【００２９】
前述の第２実施例の作用について説明すると、運筆における基本的な運動は前述する実施例同様である、筆記に際して機能に障害を有する場合、体重（力）を適切にコントロールすることが不得手である等、運筆補助具に適度な荷重が負荷されることになるが、この実施例にあっては、手枕台２２を介して作用する荷重を走行台１７ならびに摺動棒５１を介して軸受台３により支持することから、手枕台２２と表面板２との過度の摺接が回避されることとなり、手枕台２２の円滑な移動が補償される。
【００３０】
また、筆記持において手枕台２２に載置した手、いいかえれば、手首は筆記の進行、即ち、手枕台２２の移動に従って変位することになる、換言すれば、手枕台２２上において手首は手枕台２２の走行方向における水平面内において捩れを生起し、これが手枕台２２に伝播されて、手枕台２２に偏倚したかが作用して円滑な走行を阻害することとなるが、手枕台２２が設けられた回転板５５の回動によって、前記手首の捩れが吸収されることになり手枕台２２の円滑な移動が確保されることになり、滑らかな摺動を可能にするとともに、特に毛筆の場合に要求される繊細な動作として、起筆から収筆時における筆先の手首の返しまでを自然体に介助ならしめることを可能とする。
【００３１】
さらに、手枕台２２の構造のシンプル化を図る運筆補助具として、図１４図１５図１６に第３の実施態様例を示すように、一対の運筆台１を連結板６０により連結して運筆台１となし、この運筆台１に前述すると同様の構成を有するローラー５を軸架せしめる。即ち、前記軸受台３に一対のローラー５を回転自在に軸架することにより移動自在となさしめたもので前記ローラー５はパイプ６ｂの両側端側に大径の同様のパイプ６ａを嵌合固着したもので、この大径部にベアリング７を嵌着し、ベアリング７を挿通し、かつ、両端を軸受台３に嵌合固定された軸４により回転自在に支承されている。
【００３２】
運筆台１に載架する手枕台２２としては、平板状のもので構成され、その裏面側に前記パイプ６ｂに嵌着する円弧状のガイド溝５３を形成してなり、該ガイド溝５３に、メカニカルナイロン等の耐摩性材料からなる滑動部材６１を埋設することによりローラー６ｂの回転を阻害することなく円滑な手枕台２２の摺動をなさしめ、さらに、表面側に第２の実施態様と同時に回転板５５を軸受５７により回動自在に軸支した構成を有し、この手枕台２２におけるガイド溝５３を前記ローラー５の６ｂに直接載架せしめる構成を採用する。かかる構成を採用することによって、運筆台、ひいては、運筆補助具としての構成を簡素化せしめることが可能となる。
【００３３】
【発明の効果】
本発明は前述の説明から明らかな様に、運筆台にこれと直行方向に移動する手枕台を載架する構成を採用することで、運筆台における縦方向及び横方向の円滑な移動を可能にする手枕台によって上腕を支持するとともに、その運動を補助することで、筆記に際する疲労を軽減し、また、上腕の運動を介助し、さらに、水彩画、水墨画、俳画、細密画、および、リハビリとしての機能回復のために一助となる等の効果を有するものである。
【図面の簡単な説明】
【図１】本発明の第１の実施例における部分断正面図
【図２】本発明の実施例における部分断前面図
【図３】本発明の側面断面図
【図４】本発明の部分断走行台図
【図５】本発明の手枕台支持ブロック
【図６】本発明の手枕台上面図
【図７】本発明の手枕台全面支持ブロック脱状態
【図８】本発明の手枕台左側面
【図９】本発明の筆記板正面図
【図１０】本発明の筆記板側面
【図１１】本発明の第２他の実施例における正面図
【図１２】本発明の部分断正面図
【図１３】本発明の部分断側面図
【図１４】本発明の第３他の実施例における部分断正面図
【図１５】本発明の第３他の実施例における全面図
【図１６】本発明の第３他の実施例における部分断側面図
【符号の説明】
１運筆台
２表面板
３軸受台
４軸
５ローラー
６ａパイプ６ｂパイプ
７ベアリング
８走行床
９走行路
１０段差
１１ブレーキ
１２プッシュロッド
１３小孔
１４圧縮バネ
１５支持板
１６段部
１７走行台
１８軸
１９ローラー
２０ベアリング
２１固定枠ガイド
２２手枕台
２３固定枠
２４ａ支持ブロック
２４ｂ支持ブロック
２５ａ軸
２５ｂ軸
２６ａベアリング
２６ｂベアリング２７ａローラー
２７ｂローラー
２８固定金具
２９全面傾斜部
３０全面開口部
３１表面板
３２ネジ
３３罫線誘導棒受
３４罫線誘導棒
３５基部
３６左右スライド調節具
３７スライドバー
３８ａ目盛
３８ｂ目盛
３９筆記板
４０硬質板
４１クリップ
４２下敷
４３ストッパー
４４支持脚固定具
４５支持脚
４６支持脚
４７支持脚
５１摺動棒
５２摺動ガイド
５３ガイド溝
５４摺動板
５５回転板５６回転板軸
５７軸受
５８凹所
５９中空部
６０連結板
６１滑動部材
【図１】
2004351909.tif 000003
【図２】
2004351909.tif 000004
【図３】
2004351909.tif 000005
【図４】
2004351909.tif 000006
【図５】
2004351909.tif 000007
【図６】
2004351909.tif 000008
【図７】
2004351909.tif 000009
【図８】
2004351909.tif 000010
【図９】
2004351909.tif 000011
【図１０】
2004351909.tif 000012
【図１１】
2004351909.tif 000013
【図１２】
2004351909.tif 000014
【図１３】
2004351909.tif 000015
【図１４】
2004351909.tif 000016
【図１５】
2004351909.tif 000017
【図１６】
2004351909.tif 000018